(57)【要約】【課題】洋蘭の開花を再生する開花再生システムを提供する。【解決手段】生産者側１０が、開花した鉢植えの洋蘭に、少なくとも、生産者１０を示す識別情報と回収期限とを記録した一または複数種類の記録媒体を付して出荷し、回収期限までに消費者４０、４１または仲介業者２０、３０から回収された洋蘭に対して、生産者側１０が開花再生処理を行い、この開花再生処理で開花した当該洋蘭を消費者４０、４１または仲介業者２０、３０に再出荷する。このシステムを利用する消費者は、花を楽しんだ洋蘭の株を生産者側に送り、生産者側での開花再生処理に委ねることができる。生産者のもとに回収された洋蘭は、開花再生処理され、開花した状態で消費者の手元に戻される。【選択図】図１
2010220491.tif 000002
【特許請求の範囲】
【請求項１】
生産者側が、
開花した鉢植えの洋蘭に、少なくとも、生産者を示す識別情報と回収期限とを記録した一または複数種類の記録媒体を付して出荷し、
前記回収期限までに消費者または仲介業者から回収された前記洋蘭に対して、生産者側が開花再生処理を行い、この開花再生処理で開花した当該洋蘭を前記消費者または仲介業者に再出荷することを特徴とする洋蘭の開花再生システム。
【請求項２】
請求項１に記載の開花再生システムであって、前記回収期限として、前記洋蘭の開花期間の途中の日が設定されることを特徴とする洋蘭の開花再生システム。
【請求項３】
請求項１または２に記載の開花再生システムであって、前記記録媒体がＩＣタグであることを特徴とする洋蘭の開花再生システム。
【請求項４】
請求項３に記載の開花再生システムであって、前記ＩＣタグに、さらに、当該洋蘭の個体識別情報、品種名、生育履歴、流通履歴、再出荷先情報、及び、開花管理情報の１または複数が記録されることを特徴とする洋蘭の開花再生システム。
【請求項５】
請求項１から４のいずれかに記載の開花再生システムであって、前記記録媒体が前記生産者を示す識別情報及び回収期限を表示したラベルであることを特徴とする洋蘭の開花再生システム。
【請求項６】
開花した鉢植えの洋蘭に、少なくとも、生産者を示す識別情報と回収期限とを記録した一または複数種類の記録媒体を付して出荷し、
前記回収期限までに消費者または仲介業者から前記生産者の下に回収された前記洋蘭に対して、前記生産者が開花再生処理を行い、この開花再生処理で開花した当該洋蘭を前記消費者または仲介業者に再出荷する
ことを特徴とする洋蘭の開花再生方法。
【請求項７】
請求項６に記載の開花再生方法であって、前記記録媒体として、ＩＣタグを付すことを特徴とする洋蘭の開花再生方法。
【請求項８】
請求項６または７に記載の開花再生方法であって、前記記録媒体として、前記生産者を示す識別情報及び回収期限を表示したラベルを付すことを特徴とする洋蘭の開花再生方法。
【請求項９】
請求項６から８のいずれかに記載の開花再生方法であって、前記回収期限として、前記洋蘭の開花期間の途中の日を設定することを特徴とする洋蘭の開花再生方法。
【発明の詳細な説明】
【技術分野】
【０００１】
本発明は、花を楽しんだ後の洋蘭の株を消費者等から回収し、開花させて再び消費者等に戻すシステム及び方法に関する。
【背景技術】
【０００２】
植物は、人の心を癒す効果を有している。
そのため、オフィスや室内にも植物を置きたいという需要があり、下記特許文献１に記載されているように、観葉植物や花をオフィス等に貸出し、一定期間ごとに別の植物と交換するビジネスが普及している。
【０００３】
また、開店祝いや新築祝い、誕生日、敬老の日などに、開花した洋蘭の鉢を贈ることも広く行われている。胡蝶蘭を始めとする洋蘭の花は、優雅で華やかな空間を演出するため、ギフト商品として好まれている。
この洋蘭のギフト商品化には、洋蘭の温室栽培の技術が進歩し、一年中花屋に出回るようになったことや、洋蘭の輸送・配送方法に改良が加えられたことなども貢献している。
【０００４】
洋蘭の花持ちの期間は、種類によって異なるが、胡蝶蘭では６０日〜７０日、カトレアでは２０日〜３０日、また、シンビジュームでは９０日〜１００日であり、その間、花を観賞することができる。
花が終了した洋蘭は、株の手入れを怠らなければ、翌年花を付ける。洋蘭は多年草であり、胡蝶蘭の株は、１０年〜１５年、カトレアは５０年〜６０年の寿命を持つ。そのため、株の手入れが良ければ、何回も咲かせることができる。
【先行技術文献】
【特許文献】
【０００５】
【特許文献１】特開２００７−２８２５９９号公報
【発明の概要】
【発明が解決しようとする課題】
【０００６】
しかし、洋蘭が自生する環境は、四季のある日本の気候と全く異なっており、例えば、胡蝶蘭は、東南アジア等の暖かい地域でなければ自生できない。そのため、洋蘭の手入れは難しく、洋蘭を贈られた消費者の多くは、株を駄目にしている。
これは、洋蘭と言う生き物を粗末にしていることであり、また、その育成に費やした資源・エネルギを浪費していることになる。
【０００７】
本発明は、こうした事情を考慮して創案したものであり、洋蘭の開花を再生する開花再生システム及び開花再生方法を提供することを目的としている。
【課題を解決するための手段】
【０００８】
本発明の洋蘭の開花再生システムは、生産者側が、開花した鉢植えの洋蘭に、少なくとも、生産者を示す識別情報と回収期限とを記録した一または複数種類の記録媒体を付して出荷し、前記回収期限までに消費者または仲介業者から回収された前記洋蘭に対して、生産者側が開花再生処理を行い、この開花再生処理で開花した当該洋蘭を前記消費者または仲介業者に再出荷することを特徴とする。
このシステムを利用する消費者は、花を楽しんだ洋蘭の株を生産者側に送り、生産者側での開花再生処理に委ねることができる。生産者のもとに回収された洋蘭は、開花再生処理され、開花した状態で消費者の手元に戻される。また、卸や販売店等の仲介業者は、花が開き過ぎて商品価値の低下した鉢植えの洋蘭を生産者側に送り、開花開始の状態に再生された前記洋蘭を受け取ることができる。
【０００９】
また、本発明の洋蘭の開花再生システムでは、前記回収期限として、前記洋蘭の開花期間の途中の日を設定することが好ましい。
開花再生処理を円滑に実施するには、花が咲き終わる前の、株に体力が残っている状態で回収することが望ましい。消費者は、鉢植えの洋蘭の花を回収期限まで楽しみ、回収期限が到来すると、まだ咲いている花を株から切り離して切り花として飾り、株の方を生産者側に送る。
【００１０】
また、本発明の洋蘭の開花再生システムでは、前記記録媒体としてＩＣタグを付すことが望ましい。
ＩＣタグは、花が咲き終わっても枯れることの無い洋蘭の葉を利用して、洋蘭から取外せないように取付けることができる。ＩＣタグに記録された情報は、洋蘭の流通過程の各段階で、リーダ／ライタ（Ｒ／Ｗ）を用いて読み出すことができ、また、必要な情報を書き加えることができる。
【００１１】
また、本発明の洋蘭の開花再生システムでは、前記ＩＣタグに、さらに、当該洋蘭の個体識別情報、品種名、生育履歴、流通履歴、再出荷先情報、及び、開花管理情報の１または複数を記録することが望ましい。
個体識別情報は、回収した洋蘭をコンピュータで管理する場合に必要であり、品種名や生育履歴は、回収した株の育成管理に有効な情報となる。流通履歴には、出荷日や販売店での回収日などが記録される。再出荷先情報には、開花再生処理された洋蘭の再出荷先が記録される。また、開花管理情報には、例えば、開店記念日や誕生日など、開花再生処理において、開花の目標とすべき日の情報が記録される。
【００１２】
また、本発明の洋蘭の開花再生システムでは、前記記録媒体が前記生産者を示す識別情報及び回収期限を表示したラベルであっても良い。
洋蘭を購入した消費者や、贈答を受けた消費者は、ラベルを見て回収期限を知ることができる。
【００１３】
また、本発明の洋蘭の開花再生方法は、開花した鉢植えの洋蘭に、少なくとも、生産者を示す識別情報と回収期限とを記録した一または複数種類の記録媒体を付して出荷し、前記回収期限までに消費者または仲介業者から前記生産者の下に回収された前記洋蘭に対して、前記生産者が開花再生処理を行い、この開花再生処理で開花した当該洋蘭を前記消費者または仲介業者に再出荷することを特徴とする。
この方法により、一回咲いただけで粗末にされ勝ちな洋蘭を、繰り返し咲かせることができる。その結果、株の利用効率が高まり、また、洋蘭の苗を成株に育成するために費やしたエネルギや時間を無駄にせずに済む。
また、本発明の洋蘭の開花再生方法では、前記記録媒体として、ＩＣタグを付すことが望ましく、また、前記記録媒体として、前記生産者を示す識別情報及び回収期限を表示したラベルを付しても良い。
【００１４】
また、本発明の洋蘭の開花再生方法では、前記回収期限として、前記洋蘭の開花期間の途中の日を設定することが望ましい。
花が咲き終わる前の、株に体力が残っている状態で洋蘭を回収することにより、失敗の無い開花再生処理が可能になる。
【発明の効果】
【００１５】
本発明により、消費者は、洋蘭の株の手入れを行わずに、その株から咲く花を繰り返し楽しむことができる。卸業者や販売店は、売れ残った洋蘭の花が開き過ぎて商品価値が低下した場合でも、生産者の開花再生処理に回すことができるため、リスクが軽減され、洋蘭の積極的な販売戦略が展開できる。生産者は、成株の再生により、苗から洋蘭を育成する場合に比べて、短期間でグレードの高い商品を再出荷することができる。また、出荷用陶器鉢の再利用も可能になる。
こうしたことから、結果的に、資源やエネルギの有効利用を図ることができる。
【図面の簡単な説明】
【００１６】
【図１】本発明の実施形態に係る洋蘭の開花再生システムを示す概略図
【図２】図１のシステムにおいて、出荷される洋蘭を示す図
【図３】出荷される洋蘭に付されるＩＣタグを示す図
【図４】出荷される洋蘭に付されるラベルを示す図
【図５】図１のシステムにおいて、回収される洋蘭を示す図
【図６】図１のシステムのタイムチャートを示す図
【発明を実施するための形態】
【００１７】
図１は、本発明の実施形態に係る胡蝶蘭の開花再生システムの概略を示している。
このシステムは、胡蝶蘭の生産者１０と、生産した胡蝶蘭が出荷される市場または卸２０と、胡蝶蘭を市場・卸２０から仕入れて販売する販売店３０と、胡蝶蘭の消費者４０、４１とで構成される。
【００１８】
生産者１０、市場・卸２０及び販売店３０は、後述するＩＣタグへの情報の書き込み、及び、情報の読み出しを行うためのＲ／Ｗ１１、２１、３１を有している。
また、生産者１０は、開花再生処理する胡蝶蘭を管理するためのコンピュータ１２を備えている。
消費者４０、４１は、販売店３０から胡蝶蘭を購入する場合もあれば、ギフトとして贈られる場合もある。また、コンピュータ４２や携帯通信端末４２等によりネットワークを介して生産者１０から直接購入するケースもある。
【００１９】
生産者１０は、開花した胡蝶蘭を、植え込み材料にバーク（松などの樹皮をフレーク状にしたもの）を用いて出荷用陶器鉢に植え込み、市場・卸２０に出荷し、或いは、注文した消費者４１宛に配送する。
バークは、洋蘭の一般的な植え込み材料であるミズゴケに比べて、胡蝶蘭の根に絡まないため、植え替えを伴う開花再生処理において、根を痛めない利点がある。
【００２０】
また、生産者１０は、出荷する胡蝶蘭に対して、図２に示すように、ＩＣタグ５０とラベル６０とを付ける。
ＩＣタグ５０は、図３に示すように、ＲＦＩＤタグ５１が２枚の防水性フィルム５２の間に挟まれて密封されており、また、防水性フィルム５２に設けた孔に、ループ状のタグ紐５３が挿通されている。このタグ紐５３は、図２に示すように、胡蝶蘭の根元を一周した状態でループが閉じられる。ループの広さは、胡蝶蘭の葉が通り抜けない大きさに設定されている。多年草の胡蝶蘭の葉は枯れないため、出荷から回収までの間にタグ紐５３で結合されたＩＣタグ５０が胡蝶蘭から外れてしまう虞は無い。
【００２１】
出荷する胡蝶蘭のＩＣタグ５０には、生産者１０により次のような情報が書き込まれる。
（１）生産者情報、（２）個体識別情報、（３）品種名、（４）生育履歴、（５）回収期限、（６）出荷日
生産者情報は、ＩＣタグ５０が付された胡蝶蘭の生産者を表す情報であり、また、この胡蝶蘭の開花再生処理を依頼する依頼先を表している。
個体識別情報は、個々の胡蝶蘭を識別するための情報であり、回収した胡蝶蘭の開花再生処理を生産者１０がコンピュータ管理するために予め付与される。
生育履歴には、生育年数、開花処理開始日、開花日等が記録され、開花再生処理の度にデータが適宜、追加・更新される。
回収期限は、開花再生処理の希望者から生産者１０が胡蝶蘭を受入れる期限について定めている。花が萎れるまで胡蝶蘭を消費者４０、４１の手許に置くと、株の体力が低下し、円滑な開花再生処理が難しくなる。そのため、株に体力を残した状態で回収できるように、各胡蝶蘭の開花期間（開花日から６０日〜７０日）の途中の日（例えば、開花日から２ヶ月後）が回収期限として設定される。
【００２２】
また、ラベル６０は、図４に示すように、三角形状の表示面６１と、突出部６２に設けられた孔６３と、突出部６２の外縁から孔６３に至る切り込み６４とを有している。図２に示すように、この孔６３には、切り込み６４を開いて胡蝶蘭の花茎が通される。
表示面６１には、生産者名及び住所、回収期限等が表示される。
【００２３】
販売店３０は、出荷された胡蝶蘭を市場・卸２０から仕入れて販売する。
消費者４０は、販売店３０から購入し、或いは、贈答された胡蝶蘭の花を、ラベル６０に表示された回収期限（あるいは、ＩＣタグ５０読取り可能な携帯通信端末４２を有する消費者４１がＩＣタグ５０から読取った回収期限）まで鉢植えの状態で観賞する。回収期限が近付くと、まだ花が咲いている花茎を株から切り離し、花瓶に挿して観賞する。
【００２４】
一方、図５に示す状態の株の方は、購入した販売店３０または最寄りの販売店３０に持参して、開花再生処理を依頼する。
販売店３０は、Ｒ／Ｗ３１を用いて、胡蝶蘭の株に付されたＩＣタグ５０から回収期限を読み取り、回収期限を超えていなければ、依頼された株の状態を確認し、ＩＣタグ５０に次のような情報を書き込む。
（７）販売店の識別情報、（８）販売店での回収日、（９）依頼者の識別情報、（１０）開花目標日
販売店の識別情報は、開花再生処理後の胡蝶蘭の再出荷先を示す情報として記入される。
依頼者の識別情報は、販売店が開花再生処理後の胡蝶蘭の引渡し先を特定できるように記入される。
開花目標日には、例えば、誕生日や結婚記念日、開店記念日等が記入され、開花再生処理において、記入された期日の前に開花するように、処理条件が調整される。
【００２５】
販売店３０は、回収した胡蝶蘭の鉢を市場・卸２０に運ぶ。
市場・卸２０は、各販売店３０から持ち込まれた胡蝶蘭のＩＣタグ５０をＲ／Ｗ２１で読み取り、そこに記載された生産者情報に従って、各胡蝶蘭を生産者１０別にストックする。
生産者１０は、市場・卸２０にストックされた胡蝶蘭を回収して、Ｒ／Ｗ１１でＩＣタグ５０に「（１１）回収日」を記入する。
また、生産者１０は、ＩＣタグ５０に記録された情報をコンピュータ１２に転送して、開花再生処理対象の胡蝶蘭を個別に管理する。
【００２６】
開花再生処理は、大別して、育成処理と花付け処理とに分かれる。
育成処理では、胡蝶蘭の株を出荷用陶器鉢から取出し、痛んだ根の部分を除去した後、育成用の鉢に植え替えて、これを、胡蝶蘭の自生環境に近い温度に設定した育成温室の中で、施肥及び水遣りを管理しながら、凡そ４ヶ月間育成する。この育成処理の間、株に1枚以上の新葉を展開させる。
花付け処理は、新葉を展開させた胡蝶蘭の株を、育成温室よりも低い温度に設定した温室で育成する処理であり、この花付け用の温室に移した株は花芽分化し茎が伸び続け、５ヶ月半が経過した時点で花を咲かせる。
【００２７】
生産者１０は、各胡蝶蘭の開花再生処理をコンピュータ１２で管理し、胡蝶蘭の個体識別情報と対応付けて、育成温室への入室日を記録し、花付け用温室への移動日を決定する。花付け用温室への移動日は、開花目標日が設定されている株の場合、５ヶ月半後の開花時期が開花目標日の２〜３日前となるように決定し、開花目標日が設定されていない株の場合、標準的な育成処理期間の後に花付け用温室に移動するように決定する。
開花再生処理対象の胡蝶蘭が花付け用温室内で開花すると、「（１２）開花日」を胡蝶蘭のＩＣタグ５０に記録する。
【００２８】
生産者１０は、開花再生処理により再び開花した胡蝶蘭を、回収した出荷用陶器鉢に植え込み、ＩＣタグ５０に「（１３）再出荷日」を記録するとともに、ＩＣタグ５０に記録された「（５）回収期限」を更新して市場・卸２０に再出荷する。市場・卸２０は、この胡蝶蘭をＩＣタグ５０に記録された再出荷先の販売店３０別に区分して保管し、販売店３０は、自らが再出荷先の胡蝶蘭を引き取る。
販売店３０は、この胡蝶蘭を、ＩＣタグ５０に「（９）依頼者の識別情報」が記録されている消費者４０に渡す。
【００２９】
そのため、消費者４０は、凡そ１０ヶ月前に販売店３０に開花再生処理を依頼した胡蝶蘭の株を、開花した状態で受け取ることができる。また、誕生日や結婚記念日、開店記念日等を指定して開花再生処理を依頼した場合は、その記念日を、開花した胡蝶蘭を手許に置いた状態で迎えることができる。
【００３０】
図６は、消費者４０が販売店３０から購入した胡蝶蘭の開花再生処理を依頼する場合のタイムチャートを示している。
鉢植えの胡蝶蘭は、開花した状態で生産者１０から市場・卸２０に出荷され（１）、仕入れた販売店３０に運ばれ（２）、消費者４０が購入する（３）。消費者４０は、約２ヶ月間、鉢植えの胡蝶蘭の花を観賞すると、以後は切り花にして観賞する。
花が切られた胡蝶蘭の株は、販売店３０に渡され（４）、市場・卸２０を経て（５）、生産者１０に回収され（６）、開花再生処理のために約４ヶ月の育成処理と、５．５ヶ月の花付け処理とが行われ、再び開花する。
開花した胡蝶蘭は、生産者１０から市場・卸２０（７）、市場・卸２０から販売店３０（８）、販売店３０から消費者４０に戻される。
この手順を繰り返すことで、消費者４０は、株の手入れを行わずに、毎年、同時期に胡蝶蘭の花を観賞することができる。
【００３１】
また、胡蝶蘭を生産者１０から直接購入した消費者４１も、ラベル６０に表示された回収期限までに胡蝶蘭の株を生産者１０のもとに送り届けることで同様の生産者１０のサービスが受けられる。
また、卸や販売店等の仲介業者も、花が開き過ぎて商品価値の低下した鉢植えの洋蘭を生産者１０に送ることで、開花再生処理された洋蘭を約一年後に受取ることができる。図６には、販売店３０が、商品価値の低下した洋蘭を市場・卸２０経由で生産者１０に戻す場合を（１０）（１１）として示している。
【００３２】
このように、この胡蝶蘭の開花再生システムは、一回咲くだけで粗末にされ勝ちな胡蝶蘭を、繰り返し咲かせることで株の利用効率を高めることができる。また、これは胡蝶蘭の苗を成株に育成するために費やしたエネルギや時間を無駄にしないことに繋がり、資源・エネルギの有効利用を可能にする。
【００３３】
胡蝶蘭を購入し、或いは、贈られた消費者は、株の手入れの手間を掛けずに、その株から咲く花を繰り返し楽しむことができる。卸業者や販売店は、売れ残った胡蝶蘭の花が開き過ぎて商品価値が低下した場合でも、生産者の開花再生処理に回すことができるため、リスクが軽減され、胡蝶蘭の積極的な販売戦略が展開できる。また、生産者は、苗から胡蝶蘭を育成する場合に比べて、成株を再生することにより、短期間でグレードの高い商品を再出荷することができる。また、出荷用陶器鉢の再利用も可能になる。
【００３４】
なお、ここでは胡蝶蘭について説明したが、本発明の開花再生システムは、カトレア、デンファレ、シンビジウム、デンドロビウムなど、胡蝶蘭以外の品種の洋蘭を対象とすることもできる。
また、ここでは回収期限として、開花期間の途中の日を設定する場合について説明したが、再生力の強い品種であれば、開花期間終了後の日を回収期限とすることも可能である。
また、ここでは胡蝶蘭に、生産者情報や回収期限を記録する記録媒体として、ＩＣタグ及びラベルを付す場合について説明したが、それらの一方だけを胡蝶蘭に付すようにしても良く、あるいは、それらとは別の種類の記録媒体を付しても良い。
【００３５】
また、ここで示した流通経路は、一例であり、本発明は、それだけに限定されるものではない。
また、ここで示した各種期間は、説明を分かり易くするために記載したものであり、本発明は、それに限定されるものではない。
また、胡蝶蘭に付するデータや、胡蝶蘭の開花再生処理を管理するためのデータは、適宜追加・変更が可能である。
【産業上の利用可能性】
【００３６】
本発明は、洋蘭の生産・流通分野において、資源の無駄を無くし、エネルギの浪費を改善することができ、極めて有用である。
【符号の説明】
【００３７】
１０    生産者
１１    Ｒ／Ｗ
１２    コンピュータ
２０    市場・卸
２１    Ｒ／Ｗ
３０    販売店
３１    Ｒ／Ｗ
４０    消費者
４１    消費者
４２    コンピュータ
５０    ＩＣタグ
５１    ＲＦＩＤタグ
５２    透明樹脂フィルム
５３    タグ紐
６０    ラベル
６１    表示面
６２    突出部
６３    突出部
６４    切り込み
【図１】
2010220491.tif 000003
【図２】
2010220491.tif 000004
【図３】
2010220491.tif 000005
【図４】
2010220491.tif 000006
【図５】
2010220491.tif 000007
【図６】
2010220491.tif 000008